(57)【要約】本発明のシール弁２０は、注射器４００の口部４０１など雄型接続口の先端をシール弁２０に貫通させることなく、かつ、雄型接続口の先端でシール弁２０を押圧変形させることにより、弁孔２０ｂが開口するようになっている。接続ポート、混注管、輸液回路の接続器具及び輸液回路の接続システムは、斯かる特徴を有するシール弁を利用しており、ニードルレス化を実現している。
2004062721.tif 000002
【特許請求の範囲】
【請求項１】
中央部に弁孔を有する弾性材料からなるシール弁であって、雄型接続口の先端を前記シール弁に貫通させることなく、雄型接続口の先端で前記シール弁を押圧変形させて、前記シール弁の弁孔を開口させるようにしたことを特徴とする医療器具用のシール弁。
【請求項２】
弾性材料からなり、頂部に弁孔を有した略半球状の部位を備えたシール弁であって、雄型接続口の先端で前記シール弁の略半球状の部位を押圧変形させて、前記弁孔を開口させるようにした医療器具用のシール弁。
【請求項３】
弾性材料からなる有天円筒形状のシール弁において、下面を下方に突出させたアーチ型凸面とした天井部に弁孔を形成した医療器具用のシール弁であって、前記天面を押圧変形させて、前記弁孔を開口させるようにした医療器具用のシール弁。
【請求項４】
弾性材料からなり、頂部に弁孔を有した略半球状の部位を備えたシール弁であって、雄型接続口の先端を前記弁孔に貫通させることなく、雄型接続口の先端で前記シール弁の略半球状の部位を押圧変形させて、前記弁孔を開口させるようにしたことを特徴とする請求項１に記載の医療器具用のシール弁。
【請求項５】
弾性材料からなる有天円筒形状のシール弁において、下面を下方に突出させたアーチ型凸面とした天井部に弁孔を形成した医療器具用のシール弁であって、雄型接続口の先端を前記弁孔に貫通させることなく、前記天面を押圧変形させて、前記弁孔を開口させるようにした請求項１に記載の医療器具用のシール弁。
【請求項６】
前記弁孔の周囲にリング部と凹部の両方またはいずれか一方方を有することを特徴とする請求項１から３の何れかに記載の医療器具用のシール弁。
【請求項７】
請求項１から３の何れかに記載した医療器具用のシール弁を医療器具の開口部に装着し、
前記医療器具の開口部に設けられ、前記医療器具用のシール弁を押圧して、医療器具用のシール弁の弁孔を圧着密閉させ、かつ、外周面に螺合片を備え、ロック式注射器を挿入及び螺合可能なスリーブ部を備え、
前記ロック式注射器を前記スリーブに挿入したときに、ロック式注射器の先端が、前記医療器具用のシール弁に貫通することなく、前記医療器具用のシール弁を押圧変形させて、前記医療器具用のシール弁の弁孔が開口することを特徴とする接続ポート。
【請求項８】
前記医療器具用のシール弁の上端の高さ位置がスリーブ部の上端位置とほぼ一致し、かつ、前記医療器具用シール弁の下方に雄型接続口をスリーブ部に挿入したときに押圧下降し、ロック式注射器をスリーブ部から抜いたときに、前記医療器具用のシール弁の上端をスリーブ部内の所定位置に復元させるクッション部を持つことを特徴とする請求項７に記載の接続ポート。
【請求項９】
天面に前記スリーブ部を備え、前記医療器具用のシール弁を覆うように医療器具の開口部に取り付けたキャップ部材を備えており、前記開口部とキャップ部材が、上下方向に重合する装着部を備えており、それぞれ上下方向に突出し又は窪んだ山部と谷部を備え、前記山部と谷部を係合させて、キャップ部材がロック式注射器と共廻りしないようにしたことを特徴とする請求項７に記載の接続ポート。
【請求項１０】
天面に前記スリーブ部を備え、前記医療器具用のシール弁を覆うように医療器具の開口部に取り付けたキャップ部材を備えており、前記キャップ部材が医療器具の開口部に対して、開口部の半径方向に嵌合する構造を備えており、前記医療器具の開口部とキャップ部材が、前記半径方向の嵌合部位に、それぞれ半径方向に突出し又は窪んだ山部と谷部を備え、前記山部と谷部を係合させて、キャップ部材がロック式注射器と共廻りしないようにしたことを特徴とする請求項７に記載の接続ポート。
【請求項１１】
請求項１から３の何れかに記載の医療器具用のシール弁を、輸液配管が接続される接続口を両端に形成し、中央に開口部を形成した流路を備えた混注管本体の開口部に装着し、天面にスリーブ部を有するキャップ部材を前記混注管本体の開口部に装着した混注管において、
前記スリーブ部の先端外周部に突設された、ロック式注射器のカラーの内周面に形成された雌ねじ螺合構造が螺合する突条と、
前記スリーブ部の中間外周部に設けられ、前記医療器具用のシール弁の弁孔が閉口している状態で、スリーブ部に挿入されたロック式注射器をスリーブ部の中間部位で一旦停止させて保持する抵抗付与部とを備え、
ロック式注射器をスリーブ部に挿入する際に、前記抵抗付与部によりロック式注射器をスリーブ部の中間部位に一旦停め、ロック式注射器の雄型接続口がさらにスリーブ部の奥に挿入されたときに、注射器の雄型接続口の先端が前記医療器具用のシール弁を押圧変形させることによって、前記医療器具用のシール弁の弁孔を開口させるようにしたことを特徴とする混注管。
【請求項１２】
前記抵抗付与部は、スリーブ部の中間外周部に突設され、ロック式注射器の２条の雌ねじ螺合構造が螺合する第２突条であることを特徴とする請求項１１に記載の混注管。
【請求項１３】
本流をなす一の医療用輸液ラインに、他の複数の医療用輸液ライン又は複数の注射器を接続するための接続器具であって、前記一の医療用輸液ラインの配管の途中に配設する接続本管と、前記接続本管の周囲から分岐した複数本の分岐接続管とを備え、
請求項１から３の何れかに記載の医療器具用のシール弁を前記各分岐接続管の先端開口部に装着したことを特徴とする輸液回路の接続器具。
【請求項１４】
前記分岐接続管に、他の医療用輸液ラインの配管又は注射器を繋ぎ止める繋止部を設けたことを特徴とする請求項１３に記載の輸液回路の接続器具。
【請求項１５】
請求項１３に記載した輸液回路の接続器具を、一の医療用輸液ラインに取り付け、前記接続器具の各接続口に装着した医療器具用のシール弁の弁孔に、他の医療用輸液ラインの配管又は注射器を挿し込むことなく、他の医療用輸液ラインの配管又は注射器の先端により医療器具用のシール弁を押圧変形させて弁孔を開口状態にすることにより、一の医療用輸液ラインに他の医療用輸液ラインの配管又は注射器を接続できるようにしたことを特徴とする輸液回路の接続システム。
【発明の詳細な説明】
発明の技術分野
この発明は、容器または配管の開口部に設けられ、ロック式ニードルレス注射器を容器又は配管に接続するための接続ポートに関するものであり、特に、その弁構造に関するものである。
発明の背景
図１５は、輸液用混注管を用いて血液や薬液を輸液する輸液ラインの説明図である。輸液壜または輸液バッグ３００から輸液チューブ３０１を介して、コネクタ３０２に接続されたカテーテル３０３まで、血液や薬液が供給される。輸液チューブ３０１の一端には導入針３０４が接続され、導入針３０４には血液や薬液の流量を監視するドリップチャンバ（点滴筒）３０５が接続される。そして、コネクタ３０２に至るまでの輸液チューブ３０１に、順次、流量調節器３０６、所望数の混注管３０７、ゴミや気泡などを取り除くためのタコ管３０８、ゴミなどの通過を阻止するフィルタ３０９などを接続している（例えば、日本国、特開平８−２０６２３０号公報（図１０）参照）。
従来の混注管３０７は、例えば、図１６に示すように、Ｔ字管形状をなす混注管本体３０７ａの側部に形成された分岐管部分３０７ｂ内に円盤状のゴム栓３０７ｃを気密に嵌合し、キャップ３０７ｄで押圧したものである。混注管３０７の混注管本体３０７ａは、図１６に示すように、輸液回路（例えば、人工腎臓の透析回路、点滴回路など）の輸液チューブ３０１の途中に挿入接続する。混注管３０７は、分岐管部分３０７ｂのゴム栓３０７ｃに注射器３１０に装着した注射針３１０ａを刺し込んで、輸液回路の血液や薬液に注射器３１０の本体内の血液や薬液を混注するのに用いられる（例えば、日本国、特開２００２−３０６６１０号公報（図２８）参照）。
この混注管３０７は、円盤状のゴム栓３０７ｃに注射針３１０ａを突き刺して使用するもので、注射針３１０ａを使用する分だけコスト高となる。また、医師や看護婦が注射針３１０ａを誤って指などに突き刺してしまい患者の血液付着による病原菌の汚染を受ける危険性がある。しかも、使用後の注射針３１０ａは、患者の血液付着による病原菌の汚染防止のため再使用しないで廃棄しなければならず、廃品回収業者などが不用意に注射針３１０ａによって傷付いたり、病原菌によって汚染されたりすることがないように、廃棄に十分な配慮を必要とする問題がある。また、この使用済み注射針３１０ａの誤射等により院内感染が生じる。
また、針を用いずに注射器を接続するものとして、本発明者らはゴム製のシール弁を用いた構造を提案している（例えば、日本国、特開２００２−３０６６１０号、図７、８参照）。
また、近年、注射器においても注射針を螺合構造により固定保持するロック式注射器の導入が図られている。
ロック式注射器４００は、例えば、図１７ａ、図１７ｂに示すように、雄型接続口４０１（ルアー部）の周囲を囲むカラー４０２を備え、かつ、このカラー４０２の内周面に２条の雌ねじ螺合構造４０３が形成されたものである。このロック式注射器４００は、図１７ａ、図１７ｃに示すように、基端に２条の雌ねじ螺合構造４０３に螺合する螺合片４０４が形成された注射針４０５を、雄型接続口４０１に接続して用いる。なお、図１７ａ、図１７ｂ中、４０６は雌ねじ螺合構造４０３のねじ山を、４０７は注射器のピストンを、４０８は注射針４０５のテーパ形状に縮径した挿入口を、４０９は注射器のシリンダ部をそれぞれ示している。雄型接続口４０１（ルアー部）は、基端から先端に向けて外径が徐々に小さくなったテーパ形状を備えており、注射針４０５の挿入口４０８にテーパ面で嵌合するようになっている。
注射針を使わずに（ニードルレスで）ロック式注射器を差し込め、弁を開閉させるようにしたものとして、フロートとゴムボタンを組合せた弁構造を備えた混注管が提案されている（例えば、日本国、特開２０００−３５４６３６号公報参照）。
また、日本国、特許第２９５４５４９号では、薬液バッグや、薬液の点滴や人工透析に用いられる輸液配管に対して、薬液や輸液の抽出、混入などを行なう場合に、ロック式注射器を、注射針を螺合しない状態（ニードルレス）で使用して、薬液バッグや輸液配管に接続することが考案されている。
【発明の開示】
ある一つの局面において、本発明は、中央部に弁孔を有する弾性材料からなるシール弁であって、雄型接続口の先端を前記シール弁に貫通させることなく、かつ、雄型接続口の先端で前記シール弁を押圧変形させて、前記シール弁の弁孔を開口させるようにした医療器具用のシール弁に関するものである。
また、本発明に係る医療器具用のシール弁は、弾性材料からなる略半球状や有天円筒状の形状（天井部が略半球状になったものや下面が下方に突出したアーチ型凸部になったものなどを含む。）を備えたシール弁であって、その頂部に弁孔を有し、雄型接続口の先端を前記シール弁に貫通させることなく、かつ、雄型接続口の先端でシール弁を押圧変形させて、シール弁の弁孔を開口するものであるとよい。また、本発明に係る医療器具用のシール弁は、弁孔の周囲にリング部および凹部のいずれか一方または両方を有しているとよい。
また、他の局面において、本発明は、医療器具用のシール弁を医療器具の開口部に装着し、医療器具の開口部を囲むように設け、医療器具用のシール弁を押圧して、医療器具用のシール弁の弁孔を圧着密閉させ、かつ、外周面に螺合片を備え、ロック式注射器を挿入及び螺合可能なスリーブ部を備え、ロック式注射器をスリーブに挿入したときに、ロック式注射器の先端が、医療器具用のシール弁に貫通することなく、医療器具用のシール弁を押圧変形させて、医療器具用のシール弁の弁孔が開口する接続ポートに関するものである。
また、本発明に係る接続ポートは、医療器具用のシール弁の上端の高さ位置がスリーブ部の上端位置とほぼ一致し、かつ、医療器具用シール弁の下方に雄型接続口をスリーブ部に挿入したときに押圧下降し、ロック式注射器をスリーブ部から抜いたときに、医療器具用のシール弁の上端をスリーブ部内の所定位置に復元させるクッション部を持っているとよい。
また、本発明に係る接続ポートは、天面にスリーブ部を備え、医療器具用のシール弁を覆うように医療器具の開口部に取り付けたキャップ部材を備えており、開口部とキャップ部材が、上下方向に重合する装着部を備えており、それぞれ上下方向に突出し又は窪んだ山部と谷部を備え、山部と谷部を係合させて、キャップ部材がロック式注射器と共廻りしないようにするとよい。
また、本発明に係る接続ポートは、天面にスリーブ部を備え、医療器具用のシール弁を覆うように医療器具の開口部に取り付けたキャップ部材を備えており、キャップ部材が医療器具の開口部に対して、開口部の半径方向に嵌合する構造を備えており、医療器具の開口部とキャップ部材が、半径方向の嵌合部位に、それぞれ半径方向に突出し又は窪んだ山部と谷部を備え、山部と谷部を係合させて、キャップ部材がロック式注射器と共廻りしないようにするとよい。
また、他の局面において、本発明は、医療器具用のシール弁を、輸液配管が接続される接続口を両端に形成し、中央に開口部を形成した流路を備えた混注管本体の開口部に装着し、天面にスリーブ部を有するキャップ部材を混注管本体の開口部に装着した混注管において、スリーブ部の先端外周部に突設された、ロック式注射器のカラーの内周面に形成された雌ねじ螺合構造が螺合する突条と、スリーブ部の中間外周部に設けられ、医療器具用のシール弁の弁孔が閉口している状態で、スリーブ部に挿入されたロック式注射器をスリーブ部の中間部位で一旦停止させて保持する抵抗付与部とを備え、ロック式注射器をスリーブ部に挿入する際に、抵抗付与部によりロック式注射器をスリーブ部の中間部位に一旦停め、ロック式注射器の雄型接続口がさらにスリーブ部の奥に挿入されたときに、注射器の雄型接続口の先端が医療器具用のシール弁を押圧変形させることによって、医療器具用のシール弁の弁孔を開口させるようにした混注管に関するものである。
また、他の局面において、本発明は、本流をなす一の医療用輸液ラインに、他の複数の医療用輸液ライン又は複数の注射器を接続するための接続器具であって、一の医療用輸液ラインの配管の途中に配設する接続本管と、接続本管の周囲から分岐した複数本の分岐接続管とを備え、医療器具用のシール弁を各分岐接続管の先端開口部に装着した輸液回路の接続器具に関するものである。
また、他の局面において、本発明は、上述した輸液回路の接続器具を、一の医療用輸液ラインに取り付け、接続器具の各接続口に装着した医療器具用のシール弁の弁孔に、他の医療用輸液ラインの配管又は注射器を挿し込むことなく、他の医療用輸液ラインの配管又は注射器の先端により医療器具用のシール弁を押圧変形させて弁孔を開口状態にすることにより、一の医療用輸液ラインに他の医療用輸液ラインの配管又は注射器を接続できるようにした輸液回路の接続システムに関するものである。
【図面の簡単な説明】  第１図、ａは本発明の一実施形態に係る注射器接続ポートの縦断面図である。ｂはａの注射器接続ポートにロック式ニードルレス注射器を螺合したときの縦断面図である。
第２図は本発明のシール弁における変形例の縦断面図である。
第３図は本発明の一実施形態に係る注射器接続ポートの縦断面図である。
第４図は本発明の一実施形態に係る混注管の縦断面図である。
第５図、ａは混注管本体の側面図、ｂはキャップ部材の縦断面図である。
第６図は本発明の一実施形態に係る混注管の縦断面図である。
第７図、ａは混注管本体の分岐流路の係合溝を示す分岐流路のＡ−Ａ断面矢視図、ｂは分岐流路の正面図。
第８図、ａはキャップ部材の係合部を示すキャップ部材の縦断面図、ｂはキャップ部材の底面図である。
第９図、ａは本発明の一実施形態に係る混注管の縦断側面図であり、ｂはスリーブ部の平面図である。
第１０図は本発明の一実施形態に係る混注管の使用状態を示す縦断側面図である。
第１１図は本発明の一実施形態に係る混注管の使用状態を示す縦断側面図である。
第１２図、ａは本発明の一実施形態に係るシール弁を示す縦断面図、ｂはシール弁の平面図である。
第１３図は本発明に係る輸液回路の接続器具を用いた輸液回路の一構成例を示す図である。
第１４図は本発明に係る医療器具用のシール弁の変形例を示す図である。
第１５図は本発明に係る一実施形態に係る輸液回路の回路図である。
第１６図は、従来の混注管の縦断面図である。
第１７図は、ａは一般的なロック式注射器を示す縦断面図であり、ｂはその雄型接続口を示す縦断面図であり、ｃはロック式注射器の注射針を示す縦断面図である。
発明の詳細な説明
以下、図面を参照しながら本発明の一実施形態を例示して詳細に説明する。
まず、本発明の接続ポートを各種の混注管に適用した実施形態について、図面を参照して説明する。
本発明の一実施形態に係る混注管１は、図１ａ、図１ｂに示すように、両端に輸液チューブ接続口１１，１２と、これらの輸液チューブ接続口１１，１２間に連通したルーメンを有するＴ字管形状をなす混注管本体１０と、この混注管本体１０の側部に形成され、前記ルーメンに連通した分岐管部分１３と、分岐管部分１３内に装着されたシール弁２０と、分岐管部分１３に装着されたキャップ３０とを備えている。
この実施形態では、分岐管部分１３は、混注管本体１０に対して、その強度を損なわない範囲で、混注管本体１０の一部を薄肉にした薄肉部１０ａに設けてある。また、分岐管部分１３には、装着されるシール弁２０の下端を支持する鍔部１０ｂを備えている。
なお、混注管本体１０，分岐管部分１３およびスリーブ部３０は、それぞれ高分子樹脂材料、例えば、ポリアミド、ポリ塩化ビニル、ポリプロピレン、ポリウレタン、ポリカーボネート、ポリエチレンなどで構成されている。
シール弁２０は、弾性体材料からなる半球状で、分岐管部分１３内に気密に嵌合され、キャップ３０によって分岐管部分１３内に固定されている。シール弁１０の上面（頂部）には、ロック式注射器４００の口部４０１を受ける凹部２０ａが形成されており、凹部２０ａには、上下方向に貫通した弁孔２０ｂを形成されている。
この弁孔２０ｂは、例えば、スリット形状とすることができる。なお、弁孔２０ｂは、スリット以外にも任意形状で上下方向に貫通して形成することが可能である。この実施形態では、弁孔２０ｂは、例えばシール弁２０の成形後に直線状や円錐状の弁孔形成工具などを突き刺して形成することができるが、シール弁２０の成形時に同時に形成することもできる。
なお、シール弁２０に用いられる弾性体材料は、例えば、シリコーンゴム、天然ゴム、ポリウレタン、スチレン−ブタジエン系共重合体、アクリロニトリル−ブタジエン共重合体、ポリイソプレンなどの高分子材料で構成されている。
前記分岐管部分１３の上端外周面には、係合用の凸部１３ａが設けられている。また、キャップ３０は、断面形状が略Ｔ字形状であり、キャップ３０の下端内周面には、上記分岐管部分１３への係合部分となる係合用の凸部３０ａが設けてある。また、キャップ３０は、内面に半球状のシール弁２０が当接する凹円弧状部３０ｂが設けてあり、さらに、円筒状のスリーブ部３０ｃの外周面上端に、注射器４００のカラー４０２の雌ねじ螺合構造４０３が螺合する螺合片３０ｄが突設されている。
なお、この実施形態では、シール弁２０の凸円弧状周面部における任意の位置の外径寸法Ｄ１（図示省略）は、キャップ３０の凹円弧状部３０ｂにおける対応位置の内径寸法Ｄ２（図示省略）より大径になっており（Ｄ１＞Ｄ２）、所定の締め代（Ｄ１−Ｄ２）を具備させている。そして、このシール弁２０をスリーブ部３０ｃ内に配置して、キャップ３０を分岐管部分１３に装着したときに、前記シール弁２０に圧縮力を作用させて、シール弁２０の弁孔２０ｂを、常時、圧着密閉状態にしている。
また、半球状のシール弁２０は、シール弁２０に血液や薬液の内圧がかかると外方に向かって膨出するように変形するが、血液や薬液の内圧によって弁孔２０ｂから輸液が漏出することはない。
この混注管１は、分岐管部分１３内にシール弁２０を液密に配置させた構成を有しており、混注管本体１０の輸液チューブ接続口１１，１２に、輸液回路の輸液チューブを挿入し、輸液回路の途中に接続して用いる。なお、輸液チューブ接続口１１，１２への輸液チューブの挿入接続は、接着剤を用いて行なってもよいし、輸液チューブの弾性力を利用して、単に圧入するだけでもよい。
この混注管１に注射器４００を接続する場合は、キャップ３０のスリーブ部３０ｃ内に注射器４００の口部４０１を挿入して、注射器４００のカラー４０２の内面に形成した雌ねじ螺合構造４０３を、スリーブ部３０ｃの外周面上端に形成した螺合片３０ｄに螺合させていく。そして、図１ｂに示すように、注射器４００の口部４０１の先端部で直接シール弁２０を押圧して、シール弁２０が変形していく。雌ねじ螺合構造４０３と螺合片３０ｄとを完全な螺合状態（ロック）にすることによって、シール弁２０の弁孔２０ｂを開口させることができると共に、スリーブ部３０ｃに注射器４００が保持されて弁孔２０ｂの開口状態を維持できる。
このように、シール弁２０は、注射器４００の口部４０１など雄型接続口の先端をシール弁２０に貫通させることなく、かつ、雄型接続口の先端でシール弁２０を押圧変形させることにより、シール弁２０の弁孔２０ｂが開口するようになっている。
次いで、注射器４００のピストン４０７をシリンダ部４０９内に押込むことによって、シリンダ部４０９内の血液や薬液を、混注管１を介して輸液回路の血液や薬液に混注することができる。なお、必要に応じて、混注管１を介して輸液回路の血液や薬液を注射器４００のシリンダ部４０９内に抽出することもできる。
以下に、シール弁２０の変形例を示す。
図２に示す半球状のシール弁２１は、頭部に注射器４００の口部４０１を当接するための、所定高さのリング部２１ｄおよび所定深さの凹部２１ｅを設けたものである。
このシール弁２１は、頭部に所定高さのリング部２１ｄを備えており、リング部２１ｄの高さ寸法に相当する分だけ、注射器４００の口部４０１によってシール弁２１がより下方に押し下げられる。さらに、凹部２１ｅが設けられているので、弁孔２１ｂ部分の肉厚寸法が減少する。このシール弁２１は、混注管に注射器４００を接続すると、リング部２１ｄと凹部２１ｅの協働作用によって、図１のシール弁２０よりも弁孔２１ｂを大きく、確実に開口することができる。なお、リング部２１ｄおよび凹部２１ｅの両方を設けるようにした場合が最も優れた開口動作が得られるが、そのいずれか一方のみを設けるようにしてもよい。
上記図１，図２に示す実施形態および変形例の混注管１においては、常時は、前述のように、シール弁２０，２１の弾性力およびキャップ３０から受ける締付圧によって、弁孔２０ｂ、２１ｂを圧着密閉して、血液や薬液が漏出しないようにできる。また、注射器４００のカラー４０２をスリーブ部の螺合片３０ｄに螺合状態（ロック）にすることによって、注射器４００の口部４０１がシール弁２０，２１の弁孔２０ｂ、２１ｂを貫通することなくシール弁２０，２１を押圧変形させ、弁孔２０ｂ、２１ｂを開口させて、注射器４００内の血液や薬液を輸液回路の血液や薬液に混注したり、必要に応じて、輸液回路の血液や薬液を注射器４００内に抽出したりすることができる。さらに、注射器４００とスリーブ部３０ｃとの螺合状態を解除すると、シール弁２０，２１の弾性復元力によって、シール弁２０が図１ａ、図２に示す元の半球状や略半球状に復元して、弁孔２０ｂをキャップ３０から受ける締付力で再び圧着密閉させて、血液や薬液の漏れを防止することができる。
次に、本発明の他の実施形態を示す。
この混注管１ａは、図３に示すように、混注管本体１０の鍔部１０ｂにシール弁６４を載置し、キャップ３８を混注管本体１０の分岐管部分１３に嵌め込んだものである。分岐管部分１３の外周面上端には係合用の凸部１３ａが形成されており、キャップ３８は、下端内周面の係合用の凸部３８ａと、スリーブ部３８ｂと、スリーブ部３８ｂの上端外周面に螺合片３８ｃと、上端内周に鍔部３８ｄと、鍔部３８ｄの内方端とスリーブ部３８ｂの内面部との間に形成された断面形状が凹円弧状部３８ｅとを有する。さらに、シール弁６４は、下方に向かってラッパ状に拡開しているクッション部６４ａと、このクッション部６４ａに連続する円筒部６４ｂと、この円筒部６４ｂに連続する半球状の頭部６４ｃと、この頭部６４ｃに形成されたリング部６４ｄと、このリング部６４ｄの中央部に形成された弁孔６４ｅとを有する。
この実施形態に係る混注管１ａは、クッション部６４ａのクッション作用によって、常時はシール弁６４を上方に押し上げており、その半球状の頭部６４ｃがキャップ３８の凹円弧状部３８ｅに押圧され、凹円弧状部３８ｅによる頭部６４ｃの締付力で、弁孔６４ｅは圧着密閉状態になっている。また、キャップ３８のスリーブ部３８ｂ内に注射器４００の口部４０１を挿入し、カラー４０２の雌ねじ螺合構造４０３をキャップ３８の螺合片３８ｃに螺合すると、シール弁６４のクッション部６４ａがその弾性力に抗して押し下げられて、シール弁６４の頭部６４ｃがキャップ３８の凹円弧状部３８ｅによる締付力から解放される結果、シール弁６４の弁孔６４ｅは開口する。
この実施形態のように、医療器具用のシール弁の上端の高さ位置がスリーブ部の上端位置とほぼ一致し、かつ、前記医療器具用シール弁の下方に雄型接続口をスリーブ部に挿入したときに押圧下降し、ロック式注射器をスリーブ部から抜いたときに、医療器具用のシール弁の上端をスリーブ部内の所定位置に復元させるクッション部を備えた接続ポートは、シール弁の上端をスリーブ部上端の近傍に位置させることができ、ロック式ニードルレス注射器の口部をスリーブ部内へ挿入したときのシール弁の変形量を大きく確保することができる。また、ロック式ニードルレス注射器の口部をスリーブ部から抜いたときにはクッション部により、自己の弾性力によってその高さ位置がスリーブ部上端の近傍まで復帰する。このシール弁は、スリーブ部からロック式ニードルレス注射器の口部を抜取った後に、シール弁の上部に血液や薬液の残留があっても、上部の高さ位置がスリーブ部の上端位置とほぼ一致しているので、付着した血液や薬液を容易、かつ、確実に拭取ることができる。
次に、本発明の他の実施形態を示す。
混注管１ｂは、図４に示すように、輸液配管に接続する混注管本体７１と、混注管本体７１に装着され、液漏れを防止するシール弁７２と、ロック式注射器４００（図１７ｂ参照）を螺合させるスリーブ部７３を備えたキャップ部材７４とを備えている。
この混注管本体７１は、図４、図５ａに示すように、輸液配管の途中に接続される配管であり、両端に輸液配管の配管を接続する接続部８１、８２を備えている。混注管本体７１の内部には主流路８３が形成されており、その中央部に分岐部８４がある。混注管本体７１の上部には、分岐部８４を臨むように開口した開口部８６が形成されている。この開口部８６は開口の周囲にシール弁７２を載置する着座部８７があり、開口部８６の上端面には、図５ａに示すように、上方に突出した山部８８と下方に窪んだ谷部８９が交互に周方向に連続して形成されている。なお、山部８８の先端は先細りした形状に形成されている。また、開口部８６の外周面にはキャップ部材７４が係合する係合部９０を外径方向に突設している。
キャップ部材７４は、図４、図５ｂに示すように、混注管本体７１の開口部８６を覆うように、開口部８６に装着される部材であって、混注管本体７１の開口部８６に装着される略円板状の基部９１と、基部９１の中心部に貫通し、垂直方向に突設したスリーブ部７３とを備えている。基部９１の外周縁部９２は、混注管本体７１の開口部８６の外周縁に沿って下方に延在しており、その下端に混注管本体７１の係合部９０に係合する内径方向に突出した係合部９３を備えている。キャップ部材７４のスリーブ部７３は、ロック式注射器４００の雄型の接続口４０１（図１７ｂ参照）が挿入可能な内径を有し、上端にはロック式注射器４００の雌ねじ部４０３が螺合する螺合片９４を備えている。また、キャップ部材７４のスリーブ部７３の内部は、上部に上方へ向けて内径が徐々に狭くなった球面状の押圧面９７を備えている。
キャップ部材７４の下面には、図５ｂに示すように、混注管本体７１の分岐部８４の上面に形成された山部９５と谷部９６に対応するように、下方に突出した山部９５と上方に窪んだ谷部９６が交互に周方向に連続して形成されている。なお、山部９５の先端は先細りした形状に形成されている。
シール弁７２は、混注管本体７１の開口部８６に設けた着座部８７に着座する円板状の基部１０１と、基部１０１の中央部においてキャップ部材７４のスリーブ部７３内部を上方に突出した突出部１０２を有する。シール弁７２の突出部１０２は、上端の縦断面形状が半球形状に形成されており、その中央部に小径孔１０３（弁孔）が形成されている。シール弁７２は、突出部１０２の上部に、キャップ部材７４のスリーブ部７３の内周に設けた押圧面９７よりも少し曲率半径が大きい略球面状の被押圧面１０４を備えている。
シール弁７２は、基部１０１を混注管本体７１の着座部８７に着座させて、突出部１０２をキャップ部材７４のスリーブ部７３内部に装着した状態で、キャップ部材７４を混注管本体７１の分岐部８４に装着することにより、混注管本体７１の着座部８７とキャップ部材７４との間に装着されている。このとき、シール弁７２の突出部１０２はキャップ部材７４のスリーブ部７３に圧入されており、突出部１０２上部の被押圧面１０４がキャップ部材７４のスリーブ部７３内部の押圧面９７によって半径方向に押圧される。このため、突出部１０２の上端中央部に形成された小径孔１０３（弁孔）は常時は圧着密閉状態になっている。
この混注管１ｂは、混注管本体７１の開口部８６の上端面に、上方に突出した山部８８と下方に窪んだ谷部８９が、交互に周方向に連続して形成されており、この混注管本体７１の山部８８と谷部８９に対応するように、キャップ部材７４の下面に、下方に突出した山部９５と上方に窪んだ谷部９６が交互に周方向に連続して形成されている。このため、キャップ部材７４を混注管本体７１の分岐部８４に装着すると、その装着方向たる上下方向において、キャップ部材７４の山部９５と谷部９６が、混注管本体７１の谷部８９と山部８８に嵌まる。
このとき、キャップ部材７４の山部９５及び混注管本体７１の山部８８は、キャップ部材７４を混注管本体７１の開口部８６に装着するときに、キャップ部材７４の山部９５と混注管本体７１の谷部８９の位置が合っていないときでも、キャップ部材７４の山部９５が混注管本体７１の山部８８を滑り、キャップ部材７４の山部９５の位置が自動的調整されて、キャップ部材７４の山部９５が混注管本体７１の谷部８９に嵌まるようになっている。このため、キャップ部材７４を混注管本体７１の開口部８６に装着するときに、キャップ部材７４と混注管本体７１の周方向の位置合わせが不要になるので作業性が良い。
また、キャップ部材７４のスリーブ部７３にロック式注射器４００を螺合させるとき、キャップ部材７４がロック式注射器４００と共廻りすることがなく、ロック式注射器４００をスムーズに螺合させることができる。また、ロック式注射器４００を取り外すときも、キャップ部材７４がロック式注射器４００と共廻りしないので作業性が良い。
なお、この混注管１ｂは、ロック式注射器４００をキャップ部材７４のスリーブ部７３に螺合させると、シール弁７２の突出部１０２が下方に押し込まれて、シール弁７２の突出部１０２が押圧変形し、シール弁７２の小径孔１０３（弁孔）の圧着密閉状態が解除されるようになっている。このため、ロック式注射器４００をキャップ部材７４のスリーブ部７３に螺合させた状態では、混注管１０とロック式注射器４００との間で、薬液の抽出や輸液の注入ができる。また、ロック式注射器４００をキャップ部材７４のスリーブ部７３から取り外すと、図１に示すように、シール弁７２の弾性復元力により、シール弁７２の突出部１０２がキャップ部材７４のスリーブ部７３の内部に戻り、小径孔１０３（弁孔）も圧着密閉状態に戻るようになっており、混注管１ｂ内部の薬液が外部に漏れないようになっている。
次に、他の実施形態に係る混注管１ｃを説明する。
この混注管１ｃは、図６に示すように、ロック式注射器４００と同様に、雄型の接続口の周囲を囲むカラーの内周面に雌ねじ構造を有する雄型の医療器具である配管接続コネクタ１１１を接続する接続部を備えている。
この配管接続コネクタ１１１は、コネクタ本体１１２と、コネクタ本体１１２に装着したカラー部材１１３とを備えている。コネクタ本体１１２は、先端に雄型の接続口１１４を有し、中間部に外径が太くなったハブ部１１５を有し、基端に配管１１６を接続する接続部１１７を有している。中間部のハブ部１１５は、外径が太くなっており、基端側にカラー部材１１３が係合する係合部１１８を有している。カラー部材１１３は、コネクタ本体１１２に外装される部材であり、内周面に雌ねじ構造１２０を備えている。カラー部材１１３の基端には、コネクタ本体１１２の係合部１１８に係合する内径側に突出した係合部１１９を備えている。
次に、混注管１ｃは、図６に示すように、輸液配管に接続する混注管本体１２１と、混注管本体１２１に装着された、液漏れを防止するシール弁１２２と、配管接続コネクタ１１１を螺合させるキャップ部材１２３とを備えている。
この混注管本体１２１は、図６に示すように、輸液配管の途中に接続される配管であり、両端に輸液配管の配管を接続する接続部１３１、１３２を備えている。混注管本体１２１の内部には主流路１３３が形成されており、その中央部に分岐部１３４がある。この混注管本体１２１は、分岐部１３４に連通する複数の分岐流路１３５が周方向に所定の間隔で形成されている。なお、図示例では、２つの分岐流路１３５が主流路１３３に直交する直線に沿って設けられている。
分岐流路１３５の上端（先端）はシール弁１２２が着座する着座部１３６となっており、分岐流路１３５の外周面には、後述するキャップ部材１２３の係合部１３７（図８ｂ参照）が半径方向に嵌まりこむ係合溝１３８が形成されている。係合溝１３８には、図７ａ、７図ｂに示すように、半径方向に突出した山部１３９と半径方向に窪んだ谷部１４０が周方向に交互に連続して形成されている。なお、山部１３９の先端は先細りした形状に形成されている。
キャップ部材１２３は、図８ａ、図８ｂに示すように、混注管本体１２１の分岐流路１３５の上端開口１４１を覆うように、分岐流路１３５の上端開口１４１に装着される部材であって、分岐流路１３５の上部に外装される筒状部１４２と、分岐流路１３５の上端開口１４１を覆う略半球状部１４３を有する形状を備えている。このキャップ部材１２３は、外周面に配管接続コネクタ１１１の雌ねじ螺合構造１２０が螺合する螺合片１４４が外径方向に突設されている。
キャップ部材１２３の筒状部１４２の下端には、内周面に分岐流路１３５の係合溝１３８に嵌まる係合部１３７が内径方向に突出して設けられている。この係合部１３７には、図８ａ、図８ｂに示すように、係合溝１３８の山部１３９と谷部１４０に対応して、係合溝１３８への装着方向たる半径方向に窪んだ谷部１４６と半径方向に突出した山部１４７が周方向に交互に連続して形成されている。なお、山部１４７の先端は先細りした形状に形成されている。また、キャップ部材１２３の略半球状部１４３の内周面は、後述するシール弁１２２を内径方向に押圧する押圧面１４８になっている。また、キャップ部材１２３の略半球状部１４３の頂部には、配管接続コネクタ１１１の雄型の接続部１１４を挿入する挿入口１４９が形成されている。
シール弁１２２は、混注管本体１２１の分岐流路１３５の上端に設けた着座部１３６に着座する略半球形状の部材で、その頂部に小径孔１５１（弁孔）が形成されている。
このシール弁１２２は、混注管本体１２１の分岐流路１３５の上端に設けた着座部１３６に着座させた状態で、キャップ部材１２３を混注管本体１２１の分岐流路１３５に装着することにより、混注管本体１２１の着座部１３６とキャップ部材１２３との間に装着されている。シール弁１２２の外周面１５２は、キャップ部材１２３の内周面よりも少し大きくなっており、キャップ部材１２３を装着したときに、キャップ部材１２３の内周面によって内径方向に押圧される。この押圧力により、シール弁１２２の頂部は内径方向に圧縮変形するので、頂部に形成された小径孔１５１（弁孔）が常時は圧着密閉状態になっている。
この混注管１ｃは、キャップ部材１２３を混注管本体１２１の分岐流路１３５に装着すると、キャップ部材１２３の係合部１４５が、分岐流路１３５の係合溝１３８に嵌まり込む方向である半径方向において、キャップ部材１２３の係合部１３７の山部１４７と谷部１４６が、分岐流路１３５の係合溝１３８の谷部１４０と山部１３９に嵌まる。
このとき、キャップ部材１２３の山部１４７と分岐流路１３５の谷部１４０の位置が合っていないときでも、キャップ部材１２３の山部１４７が分岐流路１３５の山部１３９を滑り、キャップ部材１２３の山部１４７の位置が自動的調整されて、キャップ部材１２３の山部１４７が分岐流路１３５の谷部１４０に嵌まるようになっている。このため、キャップ部材１２３と分岐流路１３５の周方向の位置合わせが不要になるので作業性が良い。
また、キャップ部材１２３のスリーブ部１４２に配管接続コネクタ１１１のカラー部材１１３を螺合させるとき、キャップ部材１２３の山部１４７と谷部１４６が混注管本体１２１の谷部１４０と山部１３９にそれぞれ周方向に係合しているので、キャップ部材１２３が配管接続コネクタ１１１のカラー部材１１３と共廻りすることがなく、配管接続コネクタ１１１のカラー部材１１３をスムーズに螺合させることができる。また、配管接続コネクタ１１１を取り外すときも、キャップ部材１２３が同様に配管接続コネクタ１１１のカラー部材１１３と共廻りしないので作業性が良い。
なお、この混注管１ｃは、配管接続コネクタ１１１のカラー部材１１３をキャップ部材１２３に螺合させると、配管接続コネクタ１１１の雄型の接続口１１４により、シール弁１２２の頂部が下方に押し込まれて、シール弁１２２の小径孔１５１（弁孔）の圧着密閉状態が解除されるようになっている。このため、配管接続コネクタ１１１をキャップ部材１２３に螺合させ、配管接続コネクタ１１１の雄型の接続口１１４により、シール弁１２２の頂部を下方に押し込んだ状態では、混注管１ｃと配管接続コネクタ１１１との間で、薬液の抽出や注入ができる。また、配管接続コネクタ１１１をキャップ部材１２３から取り外すと、図６に示すように、シール弁１２２の弾性復元力により、シール弁１２２の頂部がキャップ部材１２３の内部に戻り、小径孔１５１（弁孔）も圧着密閉状態に戻るようになっており、混注管１ｃ内部の薬液が外部に漏れないようになっている。
以上、本発明の一実施形態を説明したが本発明は上述した実施形態に限定されるものではない。
上記実施形態では、混注管本体とキャップ部材に設けた山部が、それぞれ三角形状に先端が先細りした形状を例示したが、先端が先細りした山部の形状として円弧状に湾曲した形状にしてもよい。
次に、本発明の他の実施形態を説明する。
この実施形態に係る混注管１ｄを示す図９において、１６１は混注管本体、１６２はシール弁、１６３はキャップ部材、１６４、１６５は接続口、１６６は流路、１６７は開口部、１６８は着座部、１７０は装着部、１７１はフランジ部、１７２は弁孔、１７３はスリーブ部、１７４は突条（第１突条、螺合片）、１７５は円筒部をそれぞれ示している。
この実施形態に係る混注管１ｄは、スリーブ部１７３に挿入されたロック式注射器４００をスリーブ部１７３の中間部位に一旦停止させて保持させる抵抗付与部として、図９に示すように、スリーブ部１７３の中間外周部にロック式注射器４００の雌ねじ螺合構造４０３が螺合する第２突状１８１を突設したものである。この実施形態ではシール弁１６２に有天円筒形状で天面が略半球状のシール弁を用いている。
第２突状１８１を設けている位置は、図９に示すように、スリーブ部１７３に螺合させて挿入したロック式注射器４００の雄型接続口１０１の先端がシール弁１６２の略半球状の天面に当接し始めた位置において、ロック式注射器４００の雌ねじ螺合構造４０３のねじ山の先端部が第２突状１８１に到達するように設定されている。この実施形態では、第２突状１８１はスリーブ部１７３の先端の突条１７４に対して９０度ずらした位置に設けている。なお、図９ａ、図１０、図１１では、実際には第２突状は紙面の前面及び裏面側に位置しており、図面に表れないが、説明の便宜上、第１突条の下方に第２突状を破線で図示している。
また、この実施形態では、スリーブ部１７３が第２突状１８１により、ロック式注射器４００がスリーブ部１７３の中間部位に保持されたとき、ロック式注射器４００の雄型接続口４０１の先端がシール弁１６２の略半球状の天面に圧着し、ロック式注射器４００の雄型接続口４０１の先端がシール弁１６２の上部を少し弾性変形させるようになっている。このときシール弁１６２はスリーブ部１７３の内周面により半径方向の変形が規制されているため、部材内部に弾性反力（圧縮応力）が生じ、この弾性反力により弁孔に強力なシール力が発生するようになっている。
以下、ロック式注射器４００を用いて薬液の注入や抽出を行なう場合の作業を説明する。
ロック式注射器４００を用いて薬液の注入や抽出を行なう場合、作業者は、スリーブ部１７３の先端の突条１７４に、ロック式注射器４００を螺合させながら挿入していく。そして、図１０に示すように、スリーブ部１７３の中間部位で、ロック式注射器４００の雌ねじ螺合構造４０３のねじ山がスリーブ部１７３の第２突状１８１に当接する。なお、この位置では、ロック式注射器４００の雌ねじ螺合構造４０３は、第２突状１８１には螺合していない状態にある。これにより作業者は、ロック式注射器４００の挿入抵抗を感受して、ロック式注射器４００をスリーブ部１７３の中間部位に一旦停止させて保持させることができる。
また、このときロック式注射器４００の雄型接続口１０１の先端が、シール弁１６２の略半球状の天面に圧着し、シール弁１６２の上部が少し弾性変形させられることにより、シール弁の弾性反力により弁孔１７２に強力なシール力が発生している。
そして、作業者が、意識的に力を加え、ロック式注射器４００をさらにスリーブ部１７３の奥に螺合させていくと、図１１に示すように、ロック式注射器４００のカラー部４０２とスリーブ部１７３が弾性変形し、ねじ山４０６が第２突状に螺合していく。これにより、ロック式注射器４００の雄型接続口４０１がスリーブ部１７３にさらに挿入されていき、挿入されていくにつれて、ロック式注射器４００の雄型接続口４０１の先端により、シール弁１６２がスリーブ部１７３の下方に押圧変形されて、天面の弁孔１７２が開口する。
作業者は、ロック式注射器４００がスリーブ部１７３の奥まで螺合させることにより、弁孔１７２を開口させることができ、これにより薬液の注入や抽出を行なうことができる。
次に、作業者がシール弁１６２の弁孔１７２を閉口させるときは、スリーブ部１７３からロック式注射器４００が抜ける方向（挿入方向とは逆方向）にロック式注射器４００を逆転させて行なう。このとき、図１０に示すように、スリーブ部１７３の中間部位にロック式注射器４００を戻すと、シール弁１６２の弁孔１７２が閉口した状態になる。
すなわち、作業者は、スリーブ部１７３の中間部位でロック式注射器４００の回動を一旦停止させて、スリーブ部１７３の中間部位にロック式注射器４００を保持させて置いておくことができる。そして、薬液を注入する場合には、スリーブ部１７３の奥までロック式注射器４００を螺合させて行ない、薬液の注入を中断する場合には、ロック式注射器４００をスリーブ部１７３の中間部位まで戻して、スリーブ部１７３の中間部位にロック式注射器４００を保持させて置いておくことができる。
このように、この混注管１ｄによれば、注射器４００に封入された薬剤を所定の時間毎に定量ずつ間欠的に注入する場合において、注射器４００をスリーブ部１７３から抜かずに適宜に注射器４００をスリーブ部１７３の奥まで挿し込んで使用することができ、薬液の定量注入をするとき毎に、注射器４００の差し抜きを行なわないので、定量注入の間に外部から菌が入ることがなく、また外部に輸液が漏れることもないので、衛生的に使用することができる。
以上、ロック式注射器４００を用いて薬液の注入や抽出を行なう場合の作業において、注射器をスリーブ部の中間部で一旦停止させて、薬液の定量注入をする際に、注射器をスリーブ部から差し抜きすることなく使用できる実施形態を説明したが、ここで注射器をスリーブ部の中間部で一旦停止させるべく、スリーブ部に設けられている抵抗付与部は上記の実施形態に限定されるものではない。
抵抗付与部の他の実施形態としては、例えば、スリーブ部の中間外周部に外径方向に太くなった部位を設け、この部位がロック式注射器の雌ねじ螺合構造のねじ山に接触してロック式注射器に挿入抵抗を付与し（スリーブ部の中間外周部に外径方向に太くなった部位をロック式注射器の雌ねじ螺合構造のねじ山が乗り上げる際の抵抗により）、斯かる挿入抵抗を作業者に感受させてロック式注射器をスリーブ部の中間部位に一旦停止させるようにし、ロック式注射器をスリーブ部の中間部位にて保持するようにするとよい。
次に、本発明に係るシール弁の変形例を説明する。
本発明のシール弁として、略半球状のシール弁（図１参照）、有天円筒状で天面が略半球状になったシール弁（図４参照）を例示したが、本発明のシール弁は、上記の実施形態に限定されず、例えば、図１２に示すように有天円筒形状で天面が略平らにすることもできる。
図１２ａ、図１２ｂに示す混注管１ｆでは、シール弁１９１は、天面が略平らな有天円筒形状で形成されている。図１２ａ中、１９０は注射器やコネクタを接続する接続ポートを、１８９はスリーブ部を、１８８は螺合片をそれぞれ示している。
このシール弁１９１は、弁孔１９２を形成した天井部の上面１９３をアーチ型凹面形状に形成すると共に、下面１９４を下方に突出したアーチ型凸面形状に形成し、円筒部を下端に向かうにしたがって肉厚状に形成している。
また、分岐接続管１９４の内周面上端近傍には、係合用凹溝１９５が形成され、その下方部に段部１９６が形成されている。そして、分岐接続管１９４の係合用凹溝１９５に嵌り込む突起部１９７を外周面に形成したリング状固定具１９８を、前記突起部１９７を分岐接続管１９４の係合用凹溝１９５に嵌め込むことによって、分岐接続管１９４にシール弁１９１を着脱自在に装着している。
この略有天円筒状のシール弁１９１は、常時は、リング状固定具１９８の下面１９９の押圧力により下方に向かって圧縮され、シール弁１９１の天井部の部材内部を中心方向に向かう力（締付力）によって弁孔１９２が圧着密閉状態になっている。そして、図示は省略するが、分岐接続管１９４にコネクタやロック式注射器の口部を挿入することによって、シール弁１９１の弁孔１９２にコネクタの先端部やロック式注射器の口部を挿し込むことなく、コネクタの先端部やロック式注射器の口部でシール弁１９１を押圧変形させて、弁孔１９２を開口状態にすることができる。
また、コネクタの先端部やロック式注射器の口部を分岐接続管から抜くと、シール弁１９１の弾性復元力により、シール弁１９１は元の形状に戻り、弁孔１９２は閉じられる。なお、シール弁１９１の天井部の高さ位置は、リング状固定具１９８の上端近傍に復帰するので、シール弁１９１上の輸液留まりの拭き取りが容易である。
また、このシール弁を用いた輸液回路の接続器具の実施形態では、リング状固定具１９８によってシール弁１９１を着脱自在に構成することができ、シール弁１９１の最初の装着作業や、シール弁１９１の交換作業、接続器具の消毒作業において、シール弁１９１を取り外すことができるようにするとよい。
次に、本発明に係る輸液回路の接続器具について一実施形態を説明する。
本発明に係る輸液回路の接続器具は、例えば、図６に示す接続器具のように、一の医療用輸液ラインの配管の途中に配設する接続本管１１１と、接続本管１１１の周囲から分岐した複数本の分岐接続管１３５とを備え、医療器具用のシール弁１２２を各分岐接続管１３５の先端開口部に装着したことを特徴とする。また、前記分岐接続管１３５に、他の医療用輸液ラインの配管又は注射器を繋ぎ止める繋止部１４４を設けたことを特徴とする。図６に示す接続器具は、接続ポートを２箇所に設けたものであるが、接続ポートは、接続本管１１１に対して複数設けるようにするとよい。
この輸液回路の接続器具は、接続本管の周囲に、中央部に常時は圧着密閉状態の弁孔を有するゴム製のシール弁を装着した接続口を複数備えているので、他の医療用輸液ライン（側注輸液ライン）の配管や、注射器を複数繋ぐことができ、複雑な輸液回路を簡単に作ることができる。
また、接続口に、中央部に常時は圧着密閉状態の弁孔を有するゴム製のシール弁を装着しているので、他の医療用輸液ラインの配管や注射器をニードルレスで接続口に繋いだり抜いたりする操作が容易である。すなわち、この接続口は、他の医療用輸液ラインの配管や注射器を繋ぐだけで回路が開通し、また抜くだけで回路が閉じる。また、接続口に繋いだ他の医療用輸液ラインの配管にピンチコックを取り付けておけば、ピンチコックを開閉操作するだけで、回路の開閉を操作できるので、使い勝手が良く、誤操作を防止できる。また、ニードルレスで接続できるので安全性も良い。
また、本発明の一実施形態に係る輸液回路の接続システム２００を示す図１３において、２０１は輸液回路の接続器具を、２０２は一の輸液ラインを、２０３は他の輸液ラインを、２０４、２０５はそれぞれ輸液バッグを、２０６はロック式注射器をそれぞれ示している。
輸液回路の接続システム２００は上述した輸液回路の接続器具２０１を、一の医療用輸液ライン２０２に取り付け、前記接続器具の各接続口に装着した医療器具用のシール弁の弁孔に、他の医療用輸液ライン２０２の配管又は注射器を挿し込むことなく、他の医療用輸液ライン２０２の配管又は注射器２０６の先端により、接続器具の接続の各接続ポートに装着した医療器具用のシール弁を押圧変形させて弁孔を開口状態にすることにより、一の医療用輸液ライン２０２に他の医療用輸液ライン２０３の配管又は注射器２０６を接続できるようにしたことを特徴とする。
この輸液回路の接続システム２００によれば、上述した接続器具２０１を用いているので、一の医療用輸液ライン２０２に、他の医療用輸液ライン２０３の配管又は注射器２０６を接続する自由度が高く、複雑な輸液回路を簡単に作ることができる。また、他の医療用輸液ライン２０３の配管又は注射器２０６をニードルレスで接続することができるので、操作上、安全性が良い。さらに、他の医療用輸液ライン２０３の配管又は注射器２０６を、シール弁の弁孔に挿し込むことなく、他の医療用輸液ライン２０３の配管又は注射器２０６の先端でシール弁を押圧変形させて弁孔を開口状態にするので、弁孔の設計が容易になり、ひいてはシール弁の製作が容易である。
なお、本発明のシール弁は上記の各実施形態に例示した形状に限定されるものではない。
例えば、図示は省略するけれども、弁孔が形成されている部分は、上面および下面とも平面状、または、上面および下面ともアーチ型凸部形状にしてもよい。また、上面が平面状で下面がアーチ型凹部形状もしくはアーチ型凸部形状、または、下面が平面状で上面がアーチ型凹部形状もしくはアーチ型凸部形状にしてもよい。さらには、上面がアーチ型凹部形状で下面が平面状もしくはアーチ型凸部形状や、上面がアーチ型凸部形状で下面が平面状もしくはアーチ型凹部形状に形成してもよい。
なお、これまで述べたシール弁やシール弁において、弁孔が形成されている部分の上面および／または下面を、アーチ型凹部形状にしたものは、弁孔やその近傍でより大きな圧縮応力が作用するため、弁孔が確実に圧着密閉される、優れた作用を有する。
また、例えば、図１４に示すように、有天円筒形状のシール弁２１０において、弁孔２１１を形成した天井部２１２の下面２１２ｂを下方に突出させたアーチ型凸面にすると、混注管２１３の内部の液圧に対して弁孔２１１が開く難くなり、シール弁２１０の耐圧性が向上する。（なお、同図に示す実施形態では、弁孔２１１を形成した天面２１２は、上面２１２ａを下方に窪んだアーチ型凹部形状としている。）なお、同図中、２１４はキャップ部材を、２１５はスリーブ部を、２１６は螺合片をそれぞれ示している。
また、上述したシール弁、接続ポートは、混注管だけでなく、輸液バッグの口部など、注射器やコネクタを接続する部位に設けることができる。
また、注射器やコネクタを接続しロックする構造として、螺合構造を備えたものを例示したが、注射器やコネクタを挿入する挿入口をテーパ状に縮径した口にし、斯かる挿入口に注射器やコネクタをテーパ嵌合により接続しロックする構造にしてもよい。
2004062721.tif 000003
【図２】
2004062721.tif 000004
【図３】
2004062721.tif 000005
【図４】
2004062721.tif 000006
2004062721.tif 000007
【図６】
2004062721.tif 000008
2004062721.tif 000009
2004062721.tif 000010
2004062721.tif 000011
【図１０】
2004062721.tif 000012
【図１１】
2004062721.tif 000013
2004062721.tif 000014
【図１３】
2004062721.tif 000015
【図１４】
2004062721.tif 000016
【図１５】
2004062721.tif 000017
【図１６】
2004062721.tif 000018
2004062721.tif 000019
【国際調査報告】
2004062721.tif 000020
2004062721.tif 000021
2004062721.tif 000022
2004062721.tif 000023
2004062721.tif 000024
2004062721.tif 000025
2004062721.tif 000026